(57)【要約】【課題】  ディスクドライブ内部の異物を効果的にフィルタリングし，かつ，そのフィルタの取扱いおよび組立てを容易にする。【解決手段】  読み取り／書込みヘッドをディスク上の所定位置に移動させるためのアクチュエータ１３０と，ベース部材の角部に設置されたＦＰＣブラケット１６０を有するディスクドライブのフィルタリング装置１７０において，上記ＦＰＣブラケットの一側から上記読み取り／書込みヘッド側に突設されたフィルタホルダー１７２と，上記フィルタホルダーに装着され，ディスクドライブ内部の流動空気内に含有された異物をフィルタリングするフィルタ１７８とを備えるディスクドライブのフィルタリング装置を提供する。【選択図】    図６
2005071584.tif 000002
【特許請求の範囲】
【請求項１】
読み取り／書込みヘッドをディスク上の所定位置に移動させるためのアクチュエータと，ベース部材の角部に設置されたフレキシブルプリント回路（ＦＰＣ）ブラケットを有するディスクドライブのフィルタリング装置において：
前記ＦＰＣブラケットの一側から前記読み取り／書込みヘッド側に突設されたフィルタホルダーと；
前記フィルタホルダーに装着され，ディスクドライブ内部の流動空気内に含有された異物をフィルタリングするフィルタと；
を備えることを特徴とする，ディスクドライブのフィルタリング装置。
【請求項２】
前記フィルタホルダーは，前記ＦＰＣブラケットと一体に形成されることを特徴とする，請求項１に記載のディスクドライブのフィルタリング装置。
【請求項３】
前記フィルタホルダーと前記ＦＰＣブラケットとは，プラスチック射出成形により形成されることを特徴とする，請求項２に記載のディスクドライブのフィルタリング装置。
【請求項４】
前記フィルタホルダーは，上側に開放された”Ｕ”字状の開放口を有することを特徴とする，請求項１に記載のディスクドライブのフィルタリング装置。
【請求項５】
前記フィルタホルダーは，前記フィルタの両端部を挟持する第１フィルタ支持溝が形成されることを特徴とする，請求項１に記載のディスクドライブのフィルタリング装置。
【請求項６】
前記フィルタホルダーは，前記フィルタの下端部を挟持する第２フィルタ支持溝が形成されることを特徴とする，請求項５に記載のディスクドライブのフィルタリング装置。
【請求項７】
前記フィルタホルダーの端部には，前記フィルタ方向に流動空気をガイドするガイド部が設けられ，前記ガイド部と前記ＦＰＣブラケットとの間に空気流入通路が形成されることを特徴とする，請求項１に記載のディスクドライブのフィルタリング装置。
【請求項８】
前記ガイド部は，前記フィルタホルダーと一体に形成されることを特徴とする，請求項７に記載のディスクドライブのフィルタリング装置。
【請求項９】
前記ガイド部と前記フィルタホルダーは，プラスチック射出成形により形成されることを特徴とする，請求項８に記載のディスクドライブのフィルタリング装置。
【請求項１０】
前記ガイド部は，前記フィルタホルダーの長手方向に対して直交することを特徴とする，請求項７に記載のディスクドライブのフィルタリング装置。
【請求項１１】
前記空気流入通路は，前記フィルタから遠ざかるほどその幅が広くなるように形成されることを特徴とする，請求項７に記載のディスクドライブのフィルタリング装置。
【請求項１２】
前記ガイド部は，弧状に形成されることを特徴とする，請求項１０に記載のディスクドライブのフィルタリング装置。
【請求項１３】
角部にブラケットを有するベース部材と；
書込み／読取り部と；
前記ブラケットと前記書込み／読取り部間に配置され，ハードディスクドライブ内部の空気から異物をフィルタリングするフィルタ部と；
を備えることを特徴とする，ハードディスクドライブ。
【請求項１４】
前記ブラケットは，ＦＰＣブラケットであることを特徴とする，請求項１３に記載のハードディスクドライブ。
【請求項１５】
前記書込み／読取り部は，
ディスクからデータを読取り，ディスクにデータを書込む，読み取り／書込みヘッドと；
前記読み取り／書込みヘッドを移動させるアクチュエータと；
を含むことを特徴とする，請求項１３に記載のハードディスクドライブ。
【請求項１６】
前記フィルタ部は，
当該ハードディスクドライブ内の流動空気から異物をフィルタリングするフィルタと；
前記フィルタを支持するためのフィルタホルダーと；
前記流動空気を前記フィルタ方向にガイドするガイド部と；
を含むことを特徴とする，請求項１３に記載のハードディスクドライブ。
【請求項１７】
前記ガイド部は，前記フィルタホルダーの一端部に配置されることを特徴とする，請求項１６に記載のハードディスクドライブ。
【請求項１８】
前記ガイド部は，前記フィルタホルダーの長手方向に対して直交することを特徴とする，請求項１６に記載のハードディスクドライブ。
【請求項１９】
前記ガイド部は，前記ブラケットの側面と平行であることを特徴とする，請求項１６に記載のハードディスクドライブ。
【請求項２０】
前記ガイド部は，弧状に形成されることを特徴とする，請求項１６に記載のハードディスクドライブ。
【請求項２１】
前記ガイド部は，前記フィルタホルダーと一体に形成されることを特徴とする，請求項１６に記載のハードディスクドライブ。
【請求項２２】
角部にブラケットを有するハードディスクドライブのフィルタシステムにおいて：
フィルタと；
前記ブラケットと反対側の端部にガイド部が設けられたフィルタホルダーと；
を備え，
前記ガイド部と前記ブラケットとの間に，前記ハードディスクドライブ内の流動空気を前記フィルタ方向にガイドする空気流入通路が形成されることを特徴とする，ハードディスクドライブのフィルタシステム。
【請求項２３】
前記フィルタは，空気が通過できる多孔質の材料よりなることを特徴とする，請求項２２に記載のハードディスクドライブのフィルタシステム。
【請求項２４】
前記多孔質の材料は，スポンジであることを特徴とする，請求項２３に記載のハードディスクドライブのフィルタシステム。
【発明の詳細な説明】
【技術分野】
【０００１】
本発明は，ディスクドライブに係り，より詳細には，ディスクドライブ内部の異物をフィルタリングするためのフィルタリング装置，それを利用したハードディスクドライブ，およびハードディスクドライブのフィルタシステムに関する。
【背景技術】
【０００２】
コンピュータの情報保存装置のうち１つのハードディスクドライブ（ＨＤＤ：Ｈａｒｄ  Ｄｉｓｋ  Ｄｒｉｖｅ，以下，ＨＤＤと言う。）は読み取り／書込みヘッドを使用して，ディスクから保存されたデータを読取りまたはディスクに書き込みする装置である。このようなＨＤＤにおいて，上記ヘッドは，回転するディスクの書込み面から所定高さに浮上した状態で，アクチュエータにより所望の位置に移動され，その機能を実行する。
【０００３】
図１は，従来の２.５インチＨＤＤの構造を概略的に示した平面図であり，図２は，図１に示されたランプとアクチュエータのサスペンション部位とを拡大して示した斜視図である。
【０００４】
図１および図２を共に参照すると，ＨＤＤにはベース部材１０上に設置されたスピンドルモータ１２と，上記スピンドルモータ１２に固設された１つまたは２以上のディスク２０と，データの読取りおよび書込みのための読み取り／書込みヘッド（図示せず，以下，単にヘッドと言う。）をディスク２０上の所定位置に移動させるためのアクチュエータ３０とが具備される。
【０００５】
上記アクチュエータ３０は，ベース部材１０に設置されたピボット軸受３１に回転可能に結合されたスイングアーム３２と，スイングアーム３２の一側端部に設置され上記ヘッドが搭載されたスライダー３４をディスク２０の表面側に加圧するように支持するサスペンション３３と，スイングアーム３２を回転させるためのボイスコイルモータ（ＶＣＭ：Ｖｏｉｃｅ
Ｃｏｉｌ Ｍｏｔｏｒ，以下，ＶＣＭと言う。）とを有する。上記ＶＣＭは，スイングアーム３２の他側端部に結合されるＶＣＭコイル３６と，ＶＣＭコイル３６の下部に設置される下部ヨーク３７と，下部ヨーク３７の上面に付着されたマグネット３８とを具備する。一方，上記ＶＣＭ（図示せず）は，ＶＣＭコイル３６の上部に設置される上部ヨークと，上部ヨークの底面に付着されるマグネットとを具備することができる。
【０００６】
上記構成を有するＶＣＭは，サーボ制御システムにより制御され，ＶＣＭコイル３６に入力される電流とマグネット３８とにより形成された磁場の相互作用を利用してフレミングの左手の法則による方向にスイングアーム３２を回転させる。すなわち，ＨＤＤの電源がオンになってディスク２０が矢印Ｄ方向に回転し始めれば，ＶＣＭはスイングアーム３２を逆時計回り方向（矢印Ａ方向）に回転させて，読み取り／書込みヘッドが搭載されたスライダー３４をディスク２０の書込み面上に移動させる。上記スライダー３４は回転するディスク２０に応じて発生する揚力により，ディスク２０の表面から所定高さに浮上し，スライダー３４に搭載されたヘッドは，この浮上した状態でディスク２０の書込み面に対しデータを読取る，またはデータを書き込んでいる。
【０００７】
一方，ＨＤＤが作動していない時，すなわちディスク２０の回転が停止した時には上記ヘッドがディスク２０の書込み面にぶつからないように上記ヘッドをディスク２０の書込み面から離れた位置にパーキングさせる。このようなヘッドパーキングシステムは大きくＣＳＳ（Ｃｏｎｔａｃｔ  Ｓｔａｒｔ Ｓｔｏｐ）方式とランプ（Ｒａｍｐ）ローディング方式に分れうる。ＣＳＳ方式はディスク２０の内周側にデータが書き込まれていないパーキングゾーンを用意し，そのパーキングゾーンに上記ヘッドを接触させてパーキングさせる方式である。しかし，ＣＳＳ方式のヘッドパーキングシステムによると，ディスク２０の内周側にパーキングゾーンを設けなければならないので，データ保存空間を広く取ることが出来ないという短所がある。したがって，高いデータ書込み密度が要求される最近の傾向によると，より広いデータ保存空間を確保できるランプローディング方式のヘッドパーキングシステムが広く採用されている。
【０００８】
上記ランプローディング方式は，ディスク２０の外側にランプ４０を設置し，このランプ４０上に上記ヘッドをパーキングさせる方式である。このために，サスペンション３３の端部には上記ランプ４０の支持面４１に接触支持されるエンドタブ３５が延設されている。そして，上記エンドタブ３５は，ランプ４０の支持面４１との接触面積を小さくするために，一般的に支持面４１側に突出した凸な形状である。
【０００９】
ＨＤＤの電源がオフになってディスク２０の回転が停止すると，ＶＣＭはスイングアーム３２を時計回り方向（矢印Ｂ方向）に回転させる。これによってエンドタブ３５はディスク２０からアンローディングされてランプ４０の支持面４１上に移動する。逆に，ＨＤＤ電源がオンになってディスク２０が回転し始めれば，前述したようにスイングアーム３２の回転によりエンドタブ３５はランプ４０の支持面４１からディスク２０上にローディングされる。
【００１０】
上述したように読み取り／書込みヘッドがランプ４０にパーキングされた状態においては，ディスクドライブに加わる外部衝撃や振動によってアクチュエータ３０が任意に回転し，上記ヘッドがランプ４０から外れてディスク２０の書込み面に移動する。このような場合，上記ヘッドがディスク２０の書込み面に接触してヘッドとディスク２０の書込み面とが損傷するおそれがある。したがって，ディスク２０の回転が停止してヘッドがランプ４０にパーキングされた状態では，アクチュエータ３０が任意に回転しないように一定位置にロッキングさせる必要がある。このためにアクチュエータラッチ５０が設けられる。
【００１１】
そして，ベース部材１０の一方のエッジ部位にはアクチュエータ３０に連結されたフレキシブルプリント回路（ＦＰＣ：Ｆｌｅｘｉｂｌｅ  ｐｒｉｎｔｅｄ  ｃｉｒｃｕｉｔ，以下，ＦＰＣと言う。）６２を，ベース部材１０の下に配置された印刷回路基板（図示せず）に接続させるためのＦＰＣブラケット６０が設置されている。
【００１２】
ところが，上記の構造を有するＨＤＤの内部にはパーティクルやガスなどのような異物が発生する。このような異物は主に後述する状況で発生する。上記エンドタブ３５がディスク２０側に移動するか，ランプ４０の支持面４１上に移動する時には，エンドタブ３５とランプ４０の支持面４１間に摺動摩擦が起こる。このような摩擦が繰り返されれば，一般的にプラスチックで形成されたランプ４０の支持面４１が摩耗され，パーティクルが発生する。図３は，エンドタブ３５の周囲に付着されているパーティクルの一例を示している。
【００１３】
また，ヘッドがディスク２０の表面上に浮上している時，外部の衝撃や振動によりヘッドとディスク２０の表面とが衝突ヘッドとディスク２０との摩擦および摩耗によってもパーティクルが発生する。さらに，ＨＤＤには電着コーティングやニッケルコーティングされた部品や，アクチュエータ３０のＶＣＭコイル３６結合部もしくはランプ４０のようにプラスチックからなる部品が多い。サーボ補償，欠陥除去およびヘッドの性能検証のためのバーンイン過程やディスクドライブの駆動後，経時的にディスクドライブが高温の状態になり，このような高温状態においては上記部品でガスが発生する。このガス分子は，ディスクドライブの内部でブラウン運動をしながら，相互化学的反応を起こすか相互衝突し，これによって数百ｎｍサイズのパーティクルが生成されうる。
【００１４】
上記のように発生したパーティクルは，ディスク２０の回転による空気の流れによってＨＤＤ内で流動する。このように流動されるパーティクルのサイズは数ｎｍ〜数百ｎｍまで多様である。上記ヘッドとディスク２０間の間隔，すなわちヘッドの浮上高より大きいパーティクルは，ヘッドと衝突してヘッドの姿勢を変化させ，また，これによってヘッドがディスク２０に接触してディスク２０の書込み面にスクラッチをも発生させ，磁気信号を損傷させる。また，パーティクルとヘッドとの衝突によって，ヘッドの読み取り／書込みセンサーが損傷し，その機能が喪失されうる。一方，ヘッドの浮上高より小さなパーティクルは，ヘッドとディスク２０との表面間に侵入してヘッドを損傷させるか，ディスク２０の表面にスクラッチを発生させ得る。
【００１５】
近日ではＨＤＤの軽量化，高容量化および小型化の方向でその開発が進められ，ディスク２０の保存容量増加のためにＴＰＩ（ｔｒａｃｋ  ｐｅｒ  ｉｎｃｈ）が大幅に高まり，ヘッドの浮上高も次第に低くなった。これによって，小さなパーティクルであってもヘッドを容易に損傷し，より小さなスクラッチによってもディスク表面の磁気信号を容易に損傷しうる。
【００１６】
したがって，上記問題点を防止するためにはディスクドライブの内部で発生するパーティクルやガスなどの異物を捕集して除去する必要がある。従来には，図１に示されたように，ベース部材１０の一方の隅に循環フィルタ７０を配置してディスクドライブの内部で流動する空気に含まれたパーティクルなどの異物をフィルタリングしていた。ところが，上記のような位置に配置された循環フィルタ７０では後述されるように満足すべきフィルタリング効果が得られないという短所がある。
【００１７】
図４は，図１に示された従来の２.５インチＨＤＤにおいて回転するディスクの表面とその周辺とでのパーティクルの流動速度の分布に対するシミュレーション結果を示す図面である。
【００１８】
図４を参照すると，ディスクドライブの内部にはディスクの回転により空気の流動が形成され，この空気流動によってディスクドライブ内部のパーティクルも共に流動する。パーティクルの流動速度は空気の流動速度にほぼ比例する。これによって，図示されたようにディスクの表面上においてはディスクの外周側に近いほどパーティクルの流動速度が速く，ディスクの内周側に近いほどパーティクルの流動速度が遅くなる。ところが，図４を参照すると，ディスク外側の従来の循環フィルタが配置された領域Ｒ１には空気の流れがほとんどなく，循環フィルタ側にはパーティクルもほとんど流入されないことが分かる。したがって，従来の循環フィルタはパーティクルの捕集においてほとんど本来の機能を遂行していなかった。
【００１９】
【特許文献１】特開平６−２０３５４８号公報
【特許文献１】特開平７−３２０４７８号公報
【特許文献１】特開平８−１０２１８１号公報
【特許文献１】特開平８−１２９８７１号公報
【発明の開示】
【発明が解決しようとする課題】
【００２０】
本発明は，上述の問題点を解決するために創出されたものであって，本発明の目的は，ディスクドライブ内部の異物を効果的にフィルタリングし，かつ，そのフィルタの取扱いおよび組立てを容易にするためＦＰＣブラケットに一体に形成するディスクドライブのフィルタリング装置を提供することにある。
【課題を解決するための手段】
【００２１】
上記の技術的課題を達成するために本発明のある観点によれば，読み取り／書込みヘッドをディスク上の所定位置に移動させるためのアクチュエータと，ベース部材の角部に設置されたフレキシブルプリント（ＦＰＣ：Ｆｌｅｘｉｂｌｅ  ｐｒｉｎｔｅｄ  ｃｉｒｃｕｉｔ）ブラケットを有するディスクドライブのフィルタリング装置において，上記ＦＰＣブラケットの一側から上記読み取り／書込みヘッド側に突設されたフィルタホルダーと，上記フィルタホルダーに装着され，ディスクドライブ内部の流動空気内に含まれた異物をフィルタリングするフィルタと，を備えるディスクドライブのフィルタリング装置が提供される。
【００２２】
ここで，上記フィルタホルダーはプラスチック射出成形により上記ＦＰＣブラケットと一体に形成されるとしても良い。
【００２３】
そして，上記フィルタホルダーは上側に開放された”Ｕ”字状の開放口を有するとしても良く，上記フィルタホルダーには，上記フィルタの両端部を挟持する第１フィルタ支持溝と，上記フィルタの下端部を挟持する第２フィルタ支持溝が形成されうる。
【００２４】
また，上記フィルタホルダーの端部には，上記フィルタ方向に流動空気をガイドするガイド部が設けられ，上記ガイド部と上記ＦＰＣブラケットとの間に空気流入通路が形成されるとしても良い。
【００２５】
ここで，上記ガイド部もプラスチック射出成形により上記フィルタホルダーと一体に形成されるとしても良い。
【００２６】
上記ガイド部は上記フィルタホルダーの長手方向に対して直交するように形成されうる。
【００２７】
上記空気流入通路は上記フィルタから遠ざかるほどその幅が次第に広くなるように形成されるとしても良い。この場合，上記ガイド部は弧状に形成されるとしても良い。
【００２８】
そして，上記の技術的課題を達成するために本発明の別の観点によれば，角部にブラケットを有するベース部材と，書込み／読取り部と，上記ブラケットと上記書込み／読取り部間に配置されてＨＤＤ内部の空気から異物をフィルタリングするフィルタ部と，を具備するＨＤＤが提供される。
【００２９】
また，上記の技術的課題を達成するために本発明のさらに別の観点によれば，角部にブラケットを有するハードディスクドライブのフィルタシステムにおいて，フィルタと，上記ブラケットと反対側の端部にガイド部が設けられたフィルタホルダーとを具備し，上記ガイド部と上記ブラケットとの間に，上記ハードディスクドライブ内の流動空気を上記フィルタ方向にガイドする空気流入通路が形成されることを特徴とする，ハードディスクドライブのフィルタシステムが提供される。
【発明の効果】
【００３０】
以上説明したように本発明によるディスクドライブのフィルタリング装置は，流動空気量が比較的多い，ＦＰＣブラケットが設置される領域に配置されることによって，ディスクドライブ内部の異物を効果的にフィルタリングできる。したがって，異物によるディスク表面およびヘッドの損傷が防止され，ディスクドライブの性能および信頼性が向上する。
【００３１】
また，本発明によるフィルタリング装置は，ＦＰＣブラケットと一体に形成されるので，取扱いおよび組立てが容易であり，かつ，その製造における追加コストの負担がほとんどない。
【００３２】
さらに，本発明によるフィルタリング装置は，ディスクドライブ内部の流動空気をフィルタ側に誘導するガイド部を具備しているので，フィルタ方向（側）により多くの空気が流入可能であり，フィルタリング効率がさらに向上する。
【発明を実施するための最良の形態】
【００３３】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３４】
図５は，本発明の第１の実施形態によるフィルタリング装置が具備されたディスクドライブを示した平面図であり，図６は，図５に示したフィルタリング装置を拡大図示した分解斜視図である。
【００３５】
図５および図６を共に参照すると，本実施形態によるフィルタリング装置１７０は，ディスク１２０に保存されたデータを読取るか，ディスク１２０にデータを書き込むディスクドライブに採用され，ディスクドライブの内部で流動するパーティクルをフィルタリングして除去する機能を有する。
【００３６】
上記ディスクドライブは，ベース部材１１０と，ディスク１２０を回転させるためのスピンドルモータ１１２と，アクチュエータ１３０と，ＦＰＣブラケット１６０および本実施形態に関するフィルタリング装置１７０とを含めて構成される。
【００３７】
上記スピンドルモータ１１２は，ディスクドライブのベース部材１１０上に設置される。このスピンドルモータ１１２のハブには少なくとも１つのディスク１２０が設けられてハブと共に回転する。
【００３８】
上記アクチュエータ１３０は，データの書込みおよび読取りのための読み取り／書込みヘッド（以下，単にヘッドと言う。）を上記ディスク１２０上の所定位置に移動させるためのものであり，スイングアーム１３２と，上記ヘッドが搭載されたスライダー１３４と，サスペンション１３３と，ＶＣＭを有する。上記スイングアーム１３２は，ベース部材１１０に設置されたピボット軸受１３１に回転可能に結合される。上記サスペンション１３３はスイングアーム１３２の先端部に結合され，上記スライダー１３４をディスク１２０の表面側に加圧しつつ支持する。上記サスペンション１３３の端部には，後述するランプ１４０の支持面１４１に接触支持されるエンドタブ１３５が延設される。
【００３９】
上記ＶＣＭは，上記スイングアーム１３２を回転させるための駆動力を提供するものであって，サーボ制御システムにより制御され，ＶＣＭコイル１３６に入力される電流とマグネット１３８により形成された磁場との相互作用を利用してフレミングの左手の法則による方向にスイングアーム１３２を回転させる。上記ＶＣＭコイル１３６は，スイングアーム１３２の後端部に結合され，上記マグネット１３８は，ＶＣＭコイル１３６の下部に設置される下部ヨーク１３７の上面に設けられる。
【００４０】
当該ディスクドライブの電源がオンになり，ディスク１２０が回転し始めれば，ＶＣＭはスイングアーム１３２を逆時計回り方向（矢印Ａ方向）に回転させて上記ヘッドをディスク１２０の書込み面上に移動させる。逆に，ディスクドライブの電源がオフになってディスク１２０の回転が停止すると，ＶＣＭは，スイングアーム１３２を時計方向（矢印Ｂ方向）に回転させて上記ヘッドがディスク１２０から離れるように動作する。
【００４１】
上記回転停止時に，ディスク１２０の書込み面を離れたヘッドは，ディスク１２０の外側に備えられたランプ１４０にパーキングされる。具体的に，ディスク１２０の回転が停止すると，ＶＣＭにより上記スイングアーム１３２は矢印Ｂ方向に回転され，サスペンション１３３の端部に形成されたエンドタブ１３５がランプ１４０の支持面１４１上にパーキングされる。また，前述したように，ディスクドライブには，読み取り／書込みヘッドがランプ１４０にパーキングされた状態を維持し，ディスクドライブに加わる外部衝撃や振動によりアクチュエータ１３０が任意に回転できないようにロッキングするアクチュエータラッチ１５０が設けられている。
【００４２】
上記ＦＰＣブラケット１６０は，アクチュエータ１３０に連結されたＦＰＣ１６２をベース部材１１０下に配置された印刷回路基板（図示せず）に接続させるためのものであって，ベース部材１１０のアクチュエータ１３０に隣接した一方の角部に設置される。
【００４３】
上記ＦＰＣブラケット１６０は，螺子１６４を使用してベース部材１１０に締結されうる。
【００４４】
上記構成を有するディスクドライブの内部には前述したようにパーティクルやガスのような異物が存在しており，このような異物をフィルタリングするために本実施形態によるフィルタリング装置１７０が設けられる。本実施形態によるフィルタリング装置１７０は，ディスクドライブ内部の異物捕集効率を高めるために，ディスク１２０の外側の領域の中でも流動空気量が比較的多く，空気の流動速度が比較的高い領域に配置される。図４を参照すると，ディスクの外側の領域のうち，ランプ１４０とＦＰＣブラケット１６０とが設置された領域Ｒ２での空気流動量とパーティクル流入量とが，従来のフィルタが設置された領域Ｒ１に比べて多いことが分かる。このようなことから，本実施形態によるフィルタリング装置１７０は，ランプ１４０，アクチュエータ１３０およびＦＰＣブラケット１６０間の空間に備えられる。
【００４５】
上記の本発明の第１の実施形態によるフィルタリング装置１７０は，フィルタホルダー１７２と，上記フィルタホルダー１７２に装着されるフィルタ１７８と，を含んで構成される。
【００４６】
上記フィルタ１７８は，ディスクドライブ内部の流動空気内に含有された異物をフィルタリングするものであって，流動空気から異物を濾すために空気が通過できるフィルタ媒体，例えばスポンジのような多孔質の材料からなる。
【００４７】
ところが，上記フィルタ１７８を上記のランプ１４０，アクチュエータ１３０およびＦＰＣブラケット１６０間の空間に設置しようとすると，これを支持する構造が必要となる。しかし，このような支持構造をベース部材１１０に形成すると，ベース部材１１０の形状変更や，フィルタ１７８の組立て性の低下，およびフィルタ１７８が不安定に支持されるなど，問題が生じる。
【００４８】
したがって，本実施形態では，フィルタ１７８を支持するための支持構造，すなわち上記フィルタホルダー１７２を上記ＦＰＣブラケット１６０と一体に形成する。具体的に，上記フィルタホルダー１７２はＦＰＣブラケット１６０の一側からアクチュエータ１３０の端部に搭載された上記ヘッド側に突設される。このような構造は，プラスチック射出成形により上記フィルタホルダー１７２とＦＰＣブラケット１６０を一体に形成することによって行うことができる。
【００４９】
このような構造によれば，本実施形態によるフィルタリング装置１７０の取扱いおよび組立てが容易であり，その製造において追加コストの負担がほとんどない長所がある。
【００５０】
上記フィルタホルダー１７２は，フィルタ１７８を堅固に支持できる多様な構造をとることができる。ここでは，図６に示すように上側に向かって開放された”Ｕ”字状開放口に形成される。上記フィルタホルダー１７２の相互に対向する垂直面には，所定深さのフィルタ支持溝１７４が形成され，このフィルタ支持溝１７４に上記フィルタ１７８の両端部が挟まれて堅固に支持される。
【００５１】
そして，上記フィルタホルダー１７２の端部には上記フィルタ１７８側に流動空気をガイドするガイド部１７６が設けられる。上記ガイド部１７６は，上記フィルタホルダー１７２の長手方向と直交する方向，すなわちＦＰＣブラケット１６０の側面と平行な方向に長く形成されるとしても良い。これによって，上記ガイド部１７６とＦＰＣブラケット１６０間に空気流入通路１７９が形成されるので，上記空気流入通路１７９を通じてディスクドライブ内部の流動空気が上記フィルタ１７８側により多く流入され，上記フィルタ１７８による異物の捕集効率がより向上される。
【００５２】
一方，上記ガイド部１７６もプラスチック射出成形により上記フィルタホルダー１７２と一体に形成されることが前述したような理由で望ましい。
【００５３】
ディスクドライブの電源がオンになってディスク１２０が矢印Ｄ方向に回転し始めれば，ＶＣＭはアクチュエータ１３０を逆時計回り方向，すなわち矢印Ａ方向に回転させる。これと同時に，ディスク１２０の回転により空気の流動が生じ，この流動空気は本実施形態によるフィルタリング装置１７０側に流入される。この時，流動空気はＦＰＣ１６２によってもフィルタリング装置１７０側に誘導されうる。また，上記ガイド部１７６によってより多くの空気とそれに含有されたパーティクルがフィルタ１７８側に流入されうる。このように，フィルタ１７８側に流入された空気はフィルタ１７８を通過することとなり，流動空気内に含有されたパーティクルやガスのような異物は，フィルタ１７８によりフィルタリングされて除去される。したがって，異物によるディスク１２０表面とヘッドの損傷が防止され，ディスクドライブの性能と信頼性が向上する。
【００５４】
図７は，本発明の第２の実施形態によるフィルタリング装置を拡大図示した分解斜視図である。
【００５５】
図７を参照すると，本発明の第２の実施形態によるフィルタリング装置２７０の基本的な構成は前述した第１の実施形態と同一である。すなわち，上記フィルタリング装置２７０は，ＦＰＣブラケット１６０に一体に形成されたフィルタホルダー２７２と，上記フィルタホルダー２７２に装着されてディスクドライブ内部の流動空気内に含有された異物をフィルタリングするフィルタ２７８を具備している。また，望ましくは上記フィルタホルダー２７２の端部に設けられて上記フィルタ２７８側に流動空気をガイドするガイド部２７６をさらに具備する。上記フィルタホルダー２７２とガイド部２７６とはプラスチック射出成形によりＦＰＣブラケット１６０と一体に形成されうる。このような構成とそれによる効果は前述した第１の実施形態と同一なので，詳細なる説明は省略する。
【００５６】
本発明の第２の実施形態においては，上側に開放された”Ｕ”字状に形成されたフィルタホルダー２７２の相互対向する垂直面には，上記フィルタ２７８の両端部を挟持するフィルタ支持溝２７４だけでなく，その底面には上記フィルタ２７８の下端部を挟持するフィルタ支持溝２７５が形成される。このようなフィルタ支持溝２７４，２７５により上記フィルタ２７８はさらに堅固に支持されうる。
【００５７】
そして，本発明の第２の実施形態において，上記ガイド部２７６は弧状（弓状に曲がった）形状を有する。したがって，上記ガイド部２７６とＦＰＣブラケット１６０間に形成される空気流入通路２７９が上記フィルタ２７８から遠ざかるほどその幅が次第に広がり，ディスクドライブ内部の流動空気が上記フィルタ２７８側により多く流入されうる。
【００５８】
本発明は，図面に示された実施例に基づいて説明されたが，これは例示的なものに過ぎず，当業者であれば，これより多様な変形および均等な他の実施例が可能である点が理解できる。例えば，前述した本発明はランプローディング方式のＨＤＤを基準として説明されたが，これに限定されるものではない。すなわち，本発明はＣＳＳ方式のＨＤＤにも採用されうる。したがって，本発明の真の技術的保護範囲は特許請求の範囲によって定められねばならない。
【産業上の利用可能性】
【００５９】
本発明は，ディスクドライブ内部の異物を効果的にフィルタリングでき，取扱いおよび組立てが容易になるようにＦＰＣブラケットに一体に形成されたディスクドライブのフルタリング装置に利用可能である。
【図面の簡単な説明】
【００６０】
【図１】従来のＨＤＤの構造を概略的に示した平面図である。
【図２】図１に示されたランプとアクチュエータのサスペンション部位とを拡大して示した斜視図である。
【図３】図２に示されたエンドタブ部位のパーティクルを示す顕微鏡写真である。
【図４】図１に示された従来のＨＤＤにおいて回転するディスクの表面とその周辺でのパーティクルの流動速度分布とに対するシミュレーション結果を示す図面である。
【図５】本発明の第１の実施形態によるフィルタリング装置が具備されたディスクドライブを示した平面図である。
【図６】図５に示されたフィルタリング装置を拡大図示した分解斜視図である。
【図７】本発明の第２の実施形態によるフィルタリング装置を拡大図示した分解斜視図である。
【符号の説明】
【００６１】
１１０  ベース部材
１３０  アクチュエータ
１４０  ランプ
１６０  ＦＰＣブラケット
１６２  ＦＰＣ
１６４  螺子
１７０  フィルタリング装置
１７２  フィルタホルダー
１７４  フィルタ支持溝
１７６  ガイド部
１７８  フィルタ
【図１】
2005071584.tif 000003
【図２】
2005071584.tif 000004
【図５】
2005071584.tif 000005
【図６】
2005071584.tif 000006
【図７】
2005071584.tif 000007
【図３】
2005071584.tif 000008
【図４】
2005071584.tif 000009